(57)【要約】【課題】  緊急時（避難時）の多機能保護具として、文献がある。内容は、災害発生時において、煩雑な手間を要しなくて、使用者の要望に沿った保温具として適切に使用することができる構造を提案している。しかし、夜間の就寝時という、極めて、急を要する状況、所謂、避難時・緊急時等において、有益な多機能保護具とは到底云えない。【解決手段】  本発明は、枕カバーとなる本体部の一面に、複数の袋と、表面に設けた複数の紐、及び面ファスナー、並びに補助袋とで構成された緊急持ち出し袋付き枕カバーであり、本体部を捲装できて枕を収容し、本体部の袋にタオル、クッション材、又は衣服の何れかによる弾性充填物を充填する緊急時に利用できる袋、紐、及び／又は、ファスナー付き本体部を構成する緊急（避難）持ち出し袋付き枕カバーである。【選択図】      図１
2018000345.tif 000002
【特許請求の範囲】
【請求項１】
一枚のフラットな枕カバーとなる本体部と、この本体部の裏面に、少なくとも、一つ以上の袋と、また、当該本体部の表面に設けたバックル付きの、少なくとも、二本の対の紐とで構成された緊急持ち出し袋付き枕カバーにおいて、
前記本体部の折畳み時に枕を抱持可能とし、この本体部の前記袋には、緊急用のタオル、クッション材、又は衣服の何れかの弾性充填物とか、或いは貴重品、避難具を充填可能とする構成としたことを特徴とする緊急持ち出し袋付き枕カバー。
【請求項２】
一枚のフラットな枕カバーとなる本体部と、この本体部の裏面に、少なくとも、一つ以上の袋と、また、当該本体部の表面に設けたバックル付きの、少なくとも、二本の対の紐と、この表面に設けた面ファスナーと、この面ファスナーを利用して取付けられる補助袋とで構成された緊急持ち出し袋付き枕カバーにおいて、
前記本体部の折畳み時に枕を抱持可能とし、この本体部の前記袋には、緊急用のタオル、クッション材、又は衣服の何れかの弾性充填物とか、或いは貴重品、避難具を充填可能とする構成としたことを特徴とする緊急持ち出し袋付き枕カバー。
【請求項３】
前記本体部を、キルティング布地とする構成とした請求項１、又は請求項２に記載の緊急持ち出し袋付き枕カバー。
【請求項４】
前記補助袋を、防水布地とし、この防水補助袋に、貴重品、懐中電灯、又は通帳、電池、電気製品、或いは保冷材、カイロの何れかを収容する構成とした請求項１、又は請求項２に記載の緊急持ち出し袋付き枕カバー。
【請求項５】
前記二本の紐の構造において、その一方の紐を、この本体部の端に、他方の紐を、当該本体部の略真中に、それぞれ設ける構成とした請求項１、又は請求項２に記載の緊急持ち出し袋付き枕カバー。
【請求項６】
前記本体部と、この本体部の裏面に二分割で形成した前記袋と、当該本体部の表面に設けた前記バックル付きの二本の紐と、この表面に設けた前記面ファスナーを利用して取付けられる補助袋とで構成された請求項１、又は請求項２に記載のシンプル形状を特徴とする緊急持ち出し袋付き枕カバー。
【請求項７】
前記補助袋は、スライドファスナーにより開閉自在とする構成とした請求項１、又は請求項２に記載の緊急持ち出し袋付き枕カバー。
【発明の詳細な説明】
【技術分野】
【０００１】
本発明は、緊急（避難）持ち出し袋付き枕カバーに関し、殊に、本体部に袋と、バックル付きの二本の紐と、面ファスナーで取付ける補助袋とで構成した、シンプルで使い勝手が良い緊急持ち出し袋付き枕カバー（多機能保護具）に関する。
【背景技術】
【０００２】
この種の緊急時（避難時）における多機能保護具として、種々の発明とか考案が開示、かつ提供されている。多機能保護具として、例えば、特開平１０−２１１０７４号公報に開示されている発明がある。内容は、災害発生時において、煩雑な手間を要しなくて、使用者の要望に沿った保温具として適切に使用することができる構造を提案している。しかしながら、夜間の就寝時という、極めて、急を要する状況における、所謂、避難時・緊急時等において、有益な多機能保護具とは到底云えない。何故ならば、寝袋として使用時に、速やかに避難、又は貴重品等を持ち出し、かつ避難具として利用するかは、開示されておらず、かつこの構造では、不可能に近いと考えられるからである。また、防災ずきん兼用枕として、実用新案登録第３０２１４０３号公報に開示された考案がある。内容は、内袋を備えた捲装可能なずきんで、就寝時に枕として利用し、捲装解除し、開放した状態で、緊急用ずきんとなる構造である。しかしながら、多機能保護具とは到底云えない。何故ならば、枕をずきんとして展開するものであって、袋として機能する構造が、開示されておらず、かつこの構造では、できないと考えられるからである。
【０００３】
【特許文献１】特開平１０−２１１０７４号公報
【特許文献２】実用新案登録第３０２１４０３号公報
【発明の概要】
【発明が解決しようとする課題】
【０００４】
前記文献（１）と文献（２）とを含めて、従来技術は、緊急用として役立つ反面で、十分な装備と身近に置いて、緊急時に即座に持ち運びできて、かつ必要とする略全ての要件を達するには、改良の余地が有る。
【０００５】
そこで、本発明では、次のような緊急時の要件を充足することを目的とする。
１）  夜間の就寝時という、極めて、急を要する状況において、速やかに避難、又は貴重品等を持ち出し、かつ避難具として利用できる有益な多機能保護具である。
２）  前述と同様に、夜間の就寝時という、極めて、急を要する状況において、枕をずきんとして展開するものであって、袋として機能する構造を提案する。
３）  二分割した袋を設けて、緊急避難具、日用品等の生活必需品を収容できる緊急持ち出し袋付き枕カバーを提供できる。
４）  また、日常の就寝時において使用するに全く違和感がなく、安心、かつ心地よい使用と、緊急時の使用とを兼ね備えた優れものである。
５）  避難時と避難先での生活に困らず、安全、かつ安心に寄与できる緊急持ち出し袋付き枕カバーを提供できる。
【課題を解決するための手段】
【０００６】
前述した、１）〜５）の目的達成を意図して、請求項１−７を提供する。
【発明の効果】
【０００７】
請求項１の発明は、一枚のフラットな枕カバーとなる本体部と、本体部の裏面に、少なくとも、一つ以上の袋と、また、本体部の表面に設けたバックル付きの、少なくとも、二本の対の紐とで構成された緊急持ち出し袋付き枕カバーにおいて、
本体部の折畳み時に枕を抱持可能とし、本体部の前記袋には、緊急用のタオル、クッション材、又は衣服の何れかの弾性充填物とか、或いは貴重品、避難具を充填可能とする構成としたことを特徴とする緊急持ち出し袋付き枕カバーである。
【０００８】
請求項２の発明は、一枚のフラットな枕カバーとなる（又は枕自体となる）本体部と、本体部の裏面（捲装時に内側となる）に、帯体で取付けた、少なくとも、一つ以上の袋と、また、本体部の表面（捲装時に外側となる）に設けたバックル付きの、少なくとも、二本の対の紐と、表面に設けた面ファスナーと、面ファスナーを利用して取付けられる補助袋とで構成された緊急持ち出し袋付き枕カバーにおいて、
本体部の折畳み時に枕を抱持可能とし、本体部の袋には、緊急用のタオル、クッション材、又は衣服の何れかの弾性充填物とか、或いは貴重品、避難具を充填可能とする構成としたことを特徴とする緊急持ち出し袋付き枕カバーである。
【０００９】
これによって、請求項１、又は請求項２では、前述の１）〜５）の目的達成に応え得る利点が有る。
【００１０】
請求項３の発明では、本体部を、キルティング布地とする構成とした緊急持ち出し袋付き枕カバーである。
【００１１】
これによって、請求項３では、前述の１）〜５）の目的達成に応え得ることと、下記の目的達成に応え得る利点が有る。
６）  枕カバーとして、最適で、かつ就寝にフィットした素材を提供できる利点がある。
【００１２】
請求項４の発明では、補助袋を、防水布地とし、防水補助袋に、貴重品、懐中電灯、又は通帳、電池、電気製品、或いは保冷材、カイロの何れかを収容する構成とした緊急持ち出し袋付き枕カバーである。
【００１３】
これによって、請求項４では、前述の１）〜５）の目的達成に応え得ることと、下記の目的達成に応え得る利点が有る。
７）  枕カバーにさらに別の使用と特徴が図れて、提案する緊急持ち出し袋付き枕カバーの利点を飛躍的に発展できる。
【００１４】
請求項５の発明は、二本の紐の構造において、一方の紐を、本体部の端に、他方の紐を、本体部の略真中に、それぞれ設ける緊急持ち出し袋付き枕カバーである。
【００１５】
これによって、請求項５では、前述の１）〜５）の目的達成に応え得ることと、下記の目的達成に応え得る利点が有る。
７）  本体部の他方側をずきん感覚で使用でき、緊急時の頭の保護となる有利性を備える。
【００１６】
請求項６の発明は、本体部と、本体部の裏面に二分割で形成した袋と、本体部の表面に設けたバックル付きの二本の紐と、表面に設けた面ファスナーを利用して取付けられる補助袋とで構成された緊急持ち出し袋付き枕カバーである。
【００１７】
これによって、請求項６では、前述の１）〜５）の目的達成に応え得ることと、下記の目的達成に応え得る利点が有る。
８）  枕カバーにさらに別の使用と特徴が図れて、緊急時に活用できる優れた緊急持ち出し袋付き枕カバーを提供できる。
【００１８】
請求項７の発明では、補助袋は、スライドファスナーにより開閉自在とする構成とした緊急持ち出し袋付き枕カバーである。
【００１９】
これによって、請求項７では、前述の１）〜５）の目的達成に応え得ることと、下記の目的達成に応え得る利点が有る。
９）  枕カバーに、緊急時と、その後の日常生活に最低限必要とする、種々の機材と証明証、記録簿、通帳、印鑑等を間違いなく、持って出ることができるので、緊急時等に極めて有効な緊急持ち出し袋付き枕カバーを提供できる。
【図面の簡単な説明】
【００２０】
【図１】袋付き枕カバー（多機能保護具）の表面斜視図
【図２】袋付き枕カバーの裏面の一部欠截の斜視図
【図３−１】袋付き枕カバーに取付ける補助袋の表面斜視図
【図３−２】袋付き枕カバーに取付ける補助袋の裏面斜視図
【図４−１】袋付き枕カバーの袋と折曲げ部に収容できる冷熱手段の分解図
【図４−２】袋付き枕カバーの袋と折曲げ部に収容できる冷熱手段を示した斜視図
【図５】袋付き枕カバーに枕（使用の枕等で通常の枕等）を収容し、かつ三折りとし避難用（緊急用）の枕とした状態の俯瞰斜視図
【図６】図５の枕を利用して就寝する状態の俯瞰斜視図
【図７】袋付き枕カバーを展開して肩に掛け、かつ避難の準備をした状態の俯瞰斜視図
【図８】袋付き枕カバーを展開し、膝掛けとして使用する状態の俯瞰斜視図
【図９】袋付き枕カバーを展開し、担架（タンカ）として使用する状態の俯瞰斜視図
【発明を実施するための形態】
【００２１】
以下、本発明の好ましい一例を説明する。
【００２２】
１は一枚のフラットな枕カバーとなる（又は枕自体となる）本体部で、本体部１はキルティング布地でなり、緩衝機能を有する（本体部１に弾性体を埋設することも有り得る）。この本体部１は、図１と図２に示すように、長手方向Ｘの一方１ａの端のやや内側に両側１ｃ、１ｄの短手方向Ｙで、かつ表面（外側）１−１に向かって膨出するように、本体部１の一方の折曲げ箇所に折曲げ部１００を形成する。この折曲げ部１００は、少なくとも、（本体部１の一方の折曲げ箇所）折曲げの容易性と、折曲げガイドとして役立つものと考えられる。そして、折曲げ部１００以外の本体部１は、原則として、フラットである。そして、この本体部１の表面１−１には、前記折曲げ部１００に基端を縫合したバックル付きの二本の紐２、２ａを設けるとともに、この紐２、２ａのバックル３、３ａ側は、本体部１の一方１ａより突出している。また、本体部１の他方１ｂから、略１／３の内側の表面１−１には、他方の二本の紐２ｂ、２ｃと、併せて、後述する防水性の補助袋（防水補助袋とする）を取付けるための取付け紐５、５ａ（バックル付きの例も有り得る）と、をそれぞれ設ける。尚、この略１／３の内側の表面１−１には、防水補助袋を取付ける、例えば、面ファスナー６を数基設ける。紐２〜２ｃは肩掛け紐等として使用することを考え、紐２、２ａの間隔Ｈ（本体部１の短手方向Ｙの間隔を云う）と、紐５、５ａの間隔Ｈ１とは、間隔Ｈ＞間隔Ｈ１とする。この間隔Ｈ＞間隔Ｈ１の構造は、肩に紐５、５ａを掛け、背中に、例えば、三折りの本体部１をしように最適な構造である。
【００２３】
この本体部１の裏面１−２には、ファスナー８付の袋７、７ａ（一括の場合には、符号を各７とする）を設ける。この袋７ａでは、前記折曲げ部１００を形成するために、本体部１の折曲げ部１００の長手方向の長さＬに対して、２本の帯体で区画された袋７ａの部分の長さＬ１を短くすることで、この折曲げ部１００を形成する。図中７ａ１と７ａ２は、この長さＬ１を確保するための帯体９を示している。この折曲げ部１００は、例えば、本体部１を折り曲げ易くすること、長さＬと長さＬ１とで形成される折曲げ隙間に、傘、電池、杖等の長いものの収容を図ること、等を意図する。各袋７には、開閉手段として、ファスナー８を付設する。ファスナー８は、袋７と、袋７ａとの対峙側（本体部１の他方の折曲げ箇所）に設けると、一例として、開閉、及び／又は、収容時に簡便である。帯体９を短手方向Ｙに逢着して各袋７を、好みの大きさにすることも可能である。そして、この一例では、各袋７は帯体９を利用して、美麗にかつ確実に取付けられており、例えば、袋７は本体部１の動きに追従でき、かつ美麗に折畳みできる実益がある。尚、袋７と、袋７ａは、長手方向Ｘに沿った側面は、帯体、又は逢着、ファスナー等により、本体部１の裏面１−２と一体とせず、袋７と本体部１の裏面１−２とを開放状態とすることもできる。この例では、袋７、及び／又は、袋７ａと、及び／又は、本体部１の裏面１−２との間に空間を形成し、擬似袋部７ｃ（収納部）とすることも可能である。擬似袋部には物等を収容する。この構造では、袋７の端部と、本体部１とを、対の紐５ｂ、５ｃを設けて、擬似袋部７ｃを閉鎖することで、収納した、例えば、頭用のズキン、収納物の落下防止となる。また、袋７ａの例では、図示しないが同じ取り扱いは可能である。この擬似袋部７ｃは、手、避難具、その他の物等の差し入れは自由である。
【００２４】
尚、本体部１の長手方向Ｘの両端部１−３に、対の紐５ｂ、５ｃとか環状紐（図示せず）を複数個設けて、持ち易くすることと、必要により、図８の如く、簡易な担架とか、人とか物をカバーする際の係止手段として利用できる。また、この紐５ｂ、５ｃ等のそれぞれの紐は、後述する多機能保護具Ａの落下防止用として利用でき、避難時に有効である。図示しないが、紐５ｂ、５ｃは、着脱できる輪型の紐も有り得る。この紐５ｂ、５ｂは、折曲げ部１００と袋７ａで形成される収容部Ｂに、収めた物の落下防止に有効である。
【００２５】
図中１０は補助袋で、例えば、図３−１等に示してあり、防水性素材で構成した筒型を呈する。この補助袋１０には、小物とか、懐中電灯、鍵、通帳等の貴重品で、かつ水濡れを嫌う商品を収容する。１１は紐を示す。また、１２は補助袋１０を開閉するファスナーを示し、１３は面ファスナーを示しており、この面ファスナー１３は、前述の面ファスナー６に噛合する。
【００２６】
そして、本発明では、本体部１を始めとして、各部材は、洗濯可能であり、また、洗濯機での洗濯、のり付け、又はアイロン掛け等、通常の布地と同じ扱いができて重宝する。
【００２７】
以下、使用状態の各態様を説明する。最初に、各袋７に、それぞれ収容するものは、クッション性と、避難後の日常生活を考慮し、下着類、タオル、タオルケット等の布地とか、簡易トイレ、拡縮できる枕等とか或いは小物、鍵、ラジオ、携帯電話、無線機等を入れた袋１５、その他の必需品を、各袋７にそれぞれ収容する。その際には、各袋７の容積、クッション性とか、又は、厚み等を考慮し、最適な状態でそれぞれ収容する。また、補助袋１０にも、同じように収容するか、又は前述したように収容する。
【００２８】
以上の所作を介して、本体部１の袋７に詰めた後、一般の枕２０として利用する場合には、枕１６（通常枕とか、使用枕等の枕）を、本体部１の裏面１−２の中央部に置き、本体部１の折曲げ部１００と、帯体９とか、この帯体９間の本体部１とを利用し、三折りに折畳むか、又は捲装することで（折畳みとする）、枕１６を確実、かつ整然と抱持できる。この折畳みでは、例えば、本体部１を折曲げ部１００、又は帯体９、及び／又は、面ファスナー６とか、帯体９間の本体部１を目安として行うことが良い。そして、通常は、折畳んだ状態で、大型の枕２０（本体部１の両端を折畳んでなる、例えば、三折り枕）として利用するが、必要により、三折り後に、紐２、２ａと紐５、５ａで縛り（結縛して）、好みの大きさの枕２０とすることも有益である。本体部１を折畳み後に、この本体部１に、補助枕１０を取付けるには、この補助袋１０を面ファスナー１３と面ファスナー６との噛合によるか、又はさらに紐５、５ａ（及び／又は、紐１１、１１ａ）の結縛を利用して、確実に取付ける。また折畳み、かつ補助袋１０を取付けた状態で、図７の如く、避難具として利用する場合は（後述する多機能保護具Ａとしての利用は）、紐２と紐２ａとを利用して、肩に掛け、かつ避難する場合の一例であり、他方１ｂを上にして背負う一例である。しかし、この一例に限定されず、図示しないが一方１ａを上にして背負う一例も有り得る。尚、補助袋１０を取付けるか否かは自由であり、取付けずに多機能保護具Ａとして利用することも有り得る。その他として、本体部１を折畳み、かつ補助袋１０を取付けた状態か、折畳んだ状態かで就寝する。
【００２９】
そして、避難時には、そのまま本体部１を解体し、枕２０を取外し、紐２〜２ｃを肩掛け紐、又は背負い紐として利用し、図９に示した一例の如く、何れか一方を上側として（本体部１の上下は関係ない。また枕としての使用等である。）、肩のしよう、速やかに避難するが、肩全体と、場合により、本体部１を展張して、頭部とか、脚部、或いは腕等の体全体をカバーする。必要により、避難の際に、かつ子供、老人等の弱者を背負い、速やかで安心した避難ができる。紐２〜２ｃを肩掛けとし、本体部１で、肩全体とか頭とかをカバーできる。この状態で避難することで、本発明は、避難具として利用できる有益な多機能保護具Ａである。
【００３０】
その後、避難所に到達し、多機能保護具Ａを利用するに最適な各一例を説明すると、ひざ掛け、肩掛け、敷物、マント、又は枕等の保護（寝具）用としての使用と、子供では、布団用として使用することができる。即ち、避難所での多方面での利用が図れることから、心身の保護と、疲労の軽減化、病気の発生防止等が期待できる。従って、不幸にも長期の避難においても、その辛さの軽減化に寄与できる。さらに、車輌の室内でも活用できることと、場合により、登山とか、山菜取り、狩り等の山（雪山）、又はスキー等の雪山においても利用でき重宝することと、生命維持にも役立つと考えられる。尚、折曲げ部１００には、長めの冷却パッド、感熱パッド等の冷熱手段２１を収容することで、枕２０として使用する際には、紐付き冷熱手段２１を、例えば、フラットの状態等とし、首部とか頭部に当てて、該部を暖冷することで、快適な生活と就寝が図れる。又は病気の治療としても利用できる。又はマッサージ機能も考えられる。
【００３１】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００３２】
１  本体部
１−１  表面（外側）
１−２  裏面（内側）
１−３  端部
１ａ  一方
１ｂ  他方
１ｃ  右側
１ｄ  左側
１００  折曲げ部
２〜２ｃ  紐
３、３ａ  バックル
５〜５ｃ  紐
６  面ファスナー
７、７ａ  袋
７ａ１、７ａ２  帯体
７ｃ  擬似袋部（収納部）
８  ファスナー
９  帯体
１０  補助袋
１１、１１ａ  紐
１２  ファスナー
１３  面ファスナー
１５  袋
１６  枕（通常枕とか、使用枕等の枕）
２０  枕（本体部を三折りした枕）
２１  冷熱手段
Ａ  多機能保護具
Ｂ  収容部
Ｈ  間隔
Ｈ１  間隔
Ｌ  長さ
Ｌ１  長さ
Ｘ  長手方向
Ｙ  短手方向    
【図１】
2018000345.tif 000003
【図２】
2018000345.tif 000004
【図３−１】
2018000345.tif 000005
【図３−２】
2018000345.tif 000006
【図４−１】
2018000345.tif 000007
【図４−２】
2018000345.tif 000008
【図５】
2018000345.tif 000009
【図６】
2018000345.tif 000010
【図７】
2018000345.tif 000011
【図８】
2018000345.tif 000012
【図９】
2018000345.tif 000013
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
一枚のフラットな本体部と、この本体部の裏面に取付けた少なくとも二つ以上の袋（７）、（７）、（７ａ）と、当該本体部の表面に、かつこの本体部の一方より突出して設けたバックル付きの対の紐（２）、（２ａ）と、前記本体部の表面に、かつこの本体部の他方に設けたバックル付きの対の紐（２ｂ）、（２ｃ）と、を備える緊急持ち出し袋付き枕カバーにおいて、
前記表面に向って膨出した折曲げ部は、前記本体部の裏面に設けた前記袋（７ａ）の長手方向（Ｘ）の長さに対して、前記本体部の部位の長手方向（Ｘ）の長さを長くし、併せて前記袋（７ａ）を、前記本体部の部位に配備することで形成し、
前記本体部の三折り使用の形態は、前記対の紐（２）、（２ａ）の短手方向（Ｙ）の間隔（Ｈ）に対して、前記対の紐（２ｂ）、（２ｃ）の短手方向（Ｙ）の間隔（Ｈ１）を、小さく配備することで形成し、
たことを特徴とする、緊急持ち出し袋付き枕カバー。
【請求項２】
一枚のフラットな本体部と、この本体部の裏面に取付けた少なくとも二つ以上の袋（７）、（７）、（７ａ）と、当該本体部の表面に、かつこの本体部の一方より突出して設けたバックル付きの対の紐（２）、（２ａ）と、前記本体部の表面に、かつこの本体部の他方に設けたバックル付きの対の紐（２ｂ）、（２ｃ）と、この表面に設けた面ファスナーと、この面ファスナーを利用して取付けられる補助袋と、を備える緊急持ち出し袋付き枕カバーにおいて、
前記表面に向って膨出した折曲げ部は、前記本体部の裏面に設けた前記袋（７ａ）の長手方向（Ｘ）の長さに対して、前記本体部の部位の長手方向（Ｘ）の長さを長くし、併せて前記袋（７ａ）を、前記本体部の部位に配備することで形成し、
前記本体部の三折り使用の形態は、前記対の紐（２）、（２ａ）の短手方向（Ｙ）の間隔（Ｈ）に対して、前記対の紐（２ｂ）、（２ｃ）の短手方向（Ｙ）の間隔（Ｈ１）を、小さく配備することで形成し、
前記本体部の折畳み時に、前記裏面に設けた前記袋（７）、（７）で、枕を抱持可能とし、
たことを特徴とする緊急持ち出し袋付き枕カバー。
【請求項３】
前記本体部を、キルティング布地とする構成とした請求項１、又は請求項２に記載の緊急持ち出し袋付き枕カバー。
【請求項４】
前記補助袋を、防水布地とし、この防水補助袋に、貴重品、懐中電灯、又は通帳、電池、電気製品、或いは保冷材、カイロの何れかを収容する構成とした請求項１、又は請求項２に記載の緊急持ち出し袋付き枕カバー。
【請求項５】
前記二本の紐（２）、（２ａ）、（２ｂ）、（２ｃ）の構造において、この一方の紐（２）、（２ａ）を、この本体部の一方の端に、前記他方の紐（２ｂ）、（２ｃ）を、当該本体部の他方より内側に、それぞれ設ける構成とした請求項１、又は請求項２に記載の緊急持ち出し袋付き枕カバー。
【請求項６】
前記本体部と、この本体部の裏面に二分割で形成した前記袋（７）、（７）と、当該本体部の表面に設けた前記バックル付きの二本の紐（２）、（２ａ）、（２ｂ）、（２ｃ）と、この表面に設けた前記面ファスナーを利用して取付けられる補助袋とで構成された請求項１、又は請求項２に記載のシンプル形状を特徴とする緊急持ち出し袋付き枕カバー。
【請求項７】
前記補助袋は、スライドファスナーにより開閉自在とする構成とした請求項１、又は請求項２に記載の緊急持ち出し袋付き枕カバー。
【手続補正２】
【補正対象書類名】明細書
【補正対象項目名】０００５
【補正方法】変更
【補正の内容】
【０００５】
そこで、本発明では、次のような緊急時の要件を充足することを目的とする。
１）  夜間の就寝時という、極めて、急を要する状況において、速やかに避難、又は貴重品等を持ち出し、かつ避難具として利用できる有益な多機能保護具である。
２）  前述と同様に、夜間の就寝時という、極めて、急を要する状況において、枕をずきんとして展開するものであって、袋として機能する構造を提案する。
３）  二分割した袋を設けて、緊急避難具、日用品等の生活必需品を収容できる緊急持ち出し袋付き枕カバーを提供できる。
４）  また、図８、図９の如く、一枚のフラットな本体部であるので、日常の就寝時において使用するに全く違和感がなく、安心、かつ心地よい使用と、緊急時の使用とを兼ね備えた優れものである。
５）  図８、図９の如く、一枚のフラットな本体部であるので、避難時と避難先での生活に困らず、安全、かつ安心に寄与できる緊急持ち出し袋付き枕カバーを提供できる。
６）  さらに本体部に、折曲げ部を形成し、三折りを可能としたので、図７の如く、背中に背負うに最適である。
【手続補正３】
【補正対象書類名】明細書
【補正対象項目名】０００７
【補正方法】変更
【補正の内容】
【０００７】
請求項１の発明は、
一枚のフラットな本体部と、本体部の裏面に取付けた少なくとも二つ以上の袋（７）、（７ａ）と、本体部の表面に、かつ本体部の一方より突出して設けたバックル付きの対の紐（２）、（２ａ）と、本体部の表面に、かつ本体部の他方に設けたバックル付きの対の紐（２ｂ）、（２ｃ）と、を備える緊急持ち出し袋付き枕カバーにおいて、
表面に向って膨出した折曲げ部は、本体部の裏面に設けた袋（７ａ）の長手方向（Ｘ）の長さに対して、本体部の部位の長手方向（Ｘ）の長さを長くし、併せて袋（７ａ）を、本体部の部位に配備することで形成し、
本体部の三折り使用の形態は、対の紐（２）、（２ａ）の短手方向（Ｙ）の間隔（Ｈ）に対して、対の紐（２ｂ）、（２ｃ）の短手方向（Ｙ）の間隔（Ｈ１）を、小さく配備することで形成し、
たことを特徴とする、緊急持ち出し袋付き枕カバーである。
【手続補正４】
【補正対象書類名】明細書
【補正対象項目名】０００８
【補正方法】変更
【補正の内容】
【０００８】
請求項２の発明は、
一枚のフラットな本体部と、本体部の裏面に取付けた少なくとも二つ以上の袋（７）、（７ａ）と、本体部の表面に、かつ本体部の一方より突出して設けたバックル付きの対の紐（２）、（２ａ）と、本体部の表面に、かつ本体部の他方に設けたバックル付きの対の紐（２ｂ）、（２ｃ）と、表面に設けた面ファスナーと、面ファスナーを利用して取付けられる補助袋と、を備える緊急持ち出し袋付き枕カバーにおいて、
表面に向って膨出した折曲げ部は、本体部の裏面に設けた袋（７ａ）の長手方向（Ｘ）の長さに対して、本体部の部位の長手方向（Ｘ）の長さを長くし、併せて袋（７ａ）を、本体部の部位に配備することで形成し、
本体部の三折り使用の形態は、対の紐（２）、（２ａ）の短手方向（Ｙ）の間隔（Ｈ）に対して、対の紐（２ｂ）、（２ｃ）の短手方向（Ｙ）の間隔（Ｈ１）を、小さく配備することで形成し、
本体部の折畳み時に、裏面に設けた前記袋（７）、（７）で、枕を抱持可能とし、
たことを特徴とする緊急持ち出し袋付き枕カバーである。
【手続補正５】
【補正対象書類名】明細書
【補正対象項目名】０００９
【補正方法】変更
【補正の内容】
【０００９】
これによって、請求項１、又は請求項２では、前述の１）〜６）の目的達成に応え得る利点が有る。
【手続補正６】
【補正対象書類名】明細書
【補正対象項目名】００１１
【補正方法】変更
【補正の内容】
【００１１】
これによって、請求項３では、前述の１）〜６）の目的達成に応え得ることと、下記の目的達成に応え得る利点が有る。
７）  枕カバーとして、最適で、かつ就寝にフィットした素材を提供できる利点がある。
【手続補正７】
【補正対象書類名】明細書
【補正対象項目名】００１３
【補正方法】変更
【補正の内容】
【００１３】
これによって、請求項４では、前述の１）〜６）の目的達成に応え得ることと、下記の目的達成に応え得る利点が有る。
８）  枕カバーにさらに別の使用と特徴が図れて、提案する緊急持ち出し袋付き枕カバーの利点を飛躍的に発展できる。
【手続補正８】
【補正対象書類名】明細書
【補正対象項目名】００１４
【補正方法】変更
【補正の内容】
【００１４】
請求項５の発明は、二本の紐（２）、（２ａ）、（２ｂ）、（２ｃ）の構造において、一方の紐（２）、（２ａ）を、本体部の一方の端に、他方の紐（２ｂ）、（２ｃ）を、本体部の他方より内側に、それぞれ設ける緊急持ち出し袋付き枕カバーである。
【手続補正９】
【補正対象書類名】明細書
【補正対象項目名】００１５
【補正方法】変更
【補正の内容】
【００１５】
これによって、請求項５では、前述の１）〜６）の目的達成に応え得ることと、下記の目的達成に応え得る利点が有る。
９）  本体部の他方側をずきん感覚で使用でき、緊急時の頭の保護となる有利性を備える。
【手続補正１０】
【補正対象書類名】明細書
【補正対象項目名】００１６
【補正方法】変更
【補正の内容】
【００１６】
請求項６の発明は、本体部と、本体部の裏面に二分割で形成した袋（７）、（７）と、本体部の表面に設けたバックル付きの二本の紐（２）、（２ａ）、（２ｂ）、（２ｃ）と、表面に設けた面ファスナーを利用して取付けられる補助袋とで構成された緊急持ち出し袋付き枕カバーである。
【手続補正１１】
【補正対象書類名】明細書
【補正対象項目名】００１７
【補正方法】変更
【補正の内容】
【００１７】
これによって、請求項６では、前述の１）〜６）の目的達成に応え得ることと、下記の目的達成に応え得る利点が有る。
１０）  枕カバーにさらに別の使用と特徴が図れて、緊急時に活用できる優れた緊急持ち出し袋付き枕カバーを提供できる。
【手続補正１２】
【補正対象書類名】明細書
【補正対象項目名】００１９
【補正方法】変更
【補正の内容】
【００１９】
これによって、請求項７では、前述の１）〜６）の目的達成に応え得ることと、下記の目的達成に応え得る利点が有る。
１１）  枕カバーに、緊急時と、その後の日常生活に最低限必要とする、種々の機材と証明証、記録簿、通帳、印鑑等を間違いなく、持って出ることができるので、緊急時等に極めて有効な緊急持ち出し袋付き枕カバーを提供できる。
【手続補正１３】
【補正対象書類名】図面
【補正対象項目名】図１
【補正方法】変更
【補正の内容】
【図１】
2018000345.tif 000014
【手続補正１４】
【補正対象書類名】図面
【補正対象項目名】図２
【補正方法】変更
【補正の内容】
【図２】
2018000345.tif 000015